(57)【特許請求の範囲】
【請求項１】
外側面に突起を有する凹形状の第１シールド部材と、該第１シールド部材の突起に係合する爪を側面に有する凹形状の第２シールド部材との係合により構成されるシールドケースにおいて、
上記第２シールド部材は、上記爪の両側に上面にまで達する切り込みを根元部分に向かって徐々に幅細となるように形成するとともに、上記切り込みの根元部分において円形等の抜きを形成したことを特徴とするシールドケース。
【請求項２】
上記第１シールド部材と、上記第２シールド部材との間に基板を挟持することを特徴とする請求項１に記載のシールドケース。
【発明の詳細な説明】
【０００１】
【発明の属する技術分野】
本発明は、シールドケースに関する。
【０００２】
【従来の技術】
従来より、シールドケースは移動体通信端末の無線部等に用いられており、このような移動体通信端末の無線部においては、シールドケースを取り付ける方法として、図２に示すように、基板１１に孔１２を空けておき、ここに第１シールドケース１３の下部に取り付けた半田付け用の端子１４を差し込み半田付けして基板１１と第１シールドケース１３とを結合させる一方、作業性を考慮して別部材としたシールドケースの天井部分である第２シールドケース１６の側面に形成された係合爪１７を第１シールドケース１３の外側面に形成された突起１５に係合させることによって第１シールドケース１３と第２シールドケース１６とを結合させるようにしたものがあった。
【０００３】
ところが、このように、半田により基板とシールドケースとを結合するようにしたものでは、生産時に基板に半田付けする工程と爪を係合させる工程とが必要であり、又回路を変更する場合に部品の取り付け位置によっては天井部分である第２シールドケース１６だけではなく第１シールドケース１３も取り外さなければならなくなるといった問題点があり、このような問題点を解決するものとして、図３及び図４に示すように、基板２１を中央に配して上下から第１シールドケース２２と第２シールドケース２４とによって挟み込み、第２シールドケース２４の側面に形成された係合爪２５を第１シールドケース２２の外側面に形成された突起２３に係合させることによって基板２１と第１シールドケース２２と第２シールドケース２４とを結合するようにしたものがあり、又、図３（ｃ）に示すように、第２シールドケース２４の側面に設けた係合爪２５の両側に切り込み２６を入れるようにしたものもあった。
【０００４】
【発明が解決しようとする課題】
ところが、上記従来装置では、第１シールドケースと第２シールドケースとを爪と突起との係合によって結合するようにしているため、シールド性を高めるために第１シールドケースと第２シールドケースとの結合を十分に確保する必要があり、特に従来の後者の装置のように、第１シールドケースと第２シールドケースとの間に基板を挟持するようなものでは、第１シールドケースと第２シールドケースとの結合をより十分に確保する必要があるが、基板の厚さのばらつきやシールドケースの成型誤差等によって爪を突起に係合できない等の原因が生じ、十分な結合が確保できないといった問題点が生じるため、基板の厚さやシールドケースの寸法等、製造のうえで高い精度が要求され、コストアップの要因となるといった問題点があった。
【０００５】
又、図３（ｃ）に示すように、第２シールドケース２４の側面に設けた係合爪２５の両側に切り込み２６を入れるようにしたものでは、係合爪２５における弾性によって水平方向のばらつきについては多少の誤差を吸収することができるものの、垂直方向のばらつきについて誤差を吸収することができず、やはり、基板の厚さやシールドケースの寸法等、製造のうえで高い精度が要求され、コストアップの要因となるといった問題点があった。
【０００６】
本発明は、コストアップを招くことなく、第１シールドケースと第２シールドケースとの結合を十分に確保することができるシールドケースを提供することを目的とするものである。
【０００７】
【課題を解決するための手段】
上記目的を達成するために、本発明は、外側面に突起を有する凹形状の第１シールド部材と、該第１シールド部材の突起に係合する爪を側面に有する凹形状の第２シールド部材との係合により構成されるシールドケースにおいて、上記第２シールド部材は、上記爪の両側に上面にまで達する切り込みを根元部分に向かって徐々に幅細となるように形成するとともに、上記切り込みの根元部分において円形等の抜きを形成したものである。
【０００８】
また、上記第１シールド部材と、上記第２シールド部材との間に基板を挟持するものである。
【００１０】
従って、本発明によれば、第２シールド部材の側面に形成された爪を第１シールド部材の外側面に形成された突起に係合させる際において、上面にまで達する切り込みによって爪に水平方向及び垂直方向に弾性が生じることにより、基板の厚さのばらつきやシールドケースの寸法誤差等を吸収することができる。
【００１１】
また、その根元部分において円形等の抜きによって上記水平方向とも異なり、上記垂直方向とも異なる第３方向への若干の弾性が生じることにより、基板の厚さのばらつきやシールドケースの寸法誤差等をより吸収することができる。
【００１２】
また、その切り込みが根元部分に向かって徐々に幅細となることによって上記水平方向とも異なり、上記垂直方向とも異なる第３方向への若干の弾性が生じることにより、基板の厚さのばらつきやシールドケースの寸法誤差等をより吸収することができる。
【００１３】
【発明の実施の形態】
以下、本発明の実施の形態について図面を参照して詳細に説明する。
【００１４】
図１は本発明の一実施の形態であるシールドケースの構成を示す外観斜視図であり、（ａ）は結合状態、（ｂ）は要部をそれぞれ示すものである。
【００１５】
図１において、１は受信部等の回路基板、２は外側面に突起３が形成された凹形状の第１シールドケース、４は側面に突起３に対応する係合爪５が形成されると共に、その係合爪５の両側に上面にまで達する切り込み６が形成された凹形状の第２シールドケースであり、この第２シールドケース４に形成された切り込み６は上面の根元部分に向かって徐々に幅細になるよう形成されると共に、その根元部分において円形の抜き７が形成されている。
【００１６】
従って、上記構成によれば、第２シールドケース４の側面に形成された係合爪５を第１シールドケース２の外側面に形成された突起３に係合させる際において、上面にまで達する切り込み６によって係合爪５に水平方向及び垂直方向に弾性が生じる一方、その切り込み６の根元部分における幅細と円形の抜き７によって上記水平方向とも異なり、上記垂直方向とも異なる第３方向への若干の弾性が生じることにより、基板１の厚さのばらつきや第１シールドケース２及び第２シールドケース４の寸法誤差等を吸収することができる。
【００１７】
尚、上記実施の形態においては、第１シールドケース２と第２シールドケース４との間に基板１を挟持する構成について説明したが、これに限定されるものではなく、第１シールドケース２を基板１に半田結合し、その第１シールドケース２に第２シールドケース４を結合するように構成するようにしても良い。
【００１８】
【発明の効果】
以上のように、本発明によれば、第２シールド部材の側面に形成された爪を第１シールド部材の外側面に形成された突起に係合させる際において、上面にまで達する切り込みによって爪に水平方向及び垂直方向に弾性が生じることにより、基板の厚さのばらつきやシールドケースの寸法誤差等を吸収することができるため、基板の厚さやシールドケースの寸法等、製造のうえで高い精度が要求されることはなく、コストアップの招来を防止することができると共に、第１シールドケースと第２シールドケースとの係合を十分に確保することができる。
【００１９】
また、その根元部分において円形等の抜きによって上記水平方向とも異なり、上記垂直方向とも異なる第３方向への若干の弾性が生じることにより、基板の厚さのばらつきやシールドケースの寸法誤差等をより吸収することができるため、基板の厚さやシールドケースの寸法等、製造のうえで高い精度がより要求されることはなく、コストアップの招来をより防止することができると共に、第１シールドケースと第２シールドケースとの結合を十分により確保することができる。
【００２０】
また、その切り込みが根元部分に向かって徐々に幅細となることによって上記水平方向とも異なり、上記垂直方向とも異なる第３方向への若干の弾性が生じることにより、基板の厚さのばらつきやシールドケースの寸法誤差等をより吸収することができるため、基板の厚さやシールドケースの寸法等、製造のうえで高い精度がより要求されることはなく、コストアップの招来をより防止することができると共に、第１シールドケースと第２シールドケースとの結合を十分により確保することができる。
【図面の簡単な説明】
【図１】本発明の一実施の形態であるシールドケースの構成を示す外観斜視図であり、（ａ）は結合状態、（ｂ）は要部をそれぞれ示すものである。
【図２】従来例であるシールドケースの構成を示す外観斜視図である。
【図３】従来例であるシールドケースの構成を示す外観斜視図であり、（ａ）は結合状態、（ｂ）は要部の一例、（ｃ）は要部の他の例をそれぞれ示すものである。
【図４】同シールドケースの結合状態の構成を示す側面断面図である。
【符号の説明】
１    基板
２    第１シールドケース
３    突起
４    第２シールドケース
５    係合爪
６    切り込み
７    抜き
【図１】
0003556432.tif 000002
【図２】
0003556432.tif 000003
【図３】
0003556432.tif 000004
【図４】
0003556432.tif 000005